(57)【要約】【課題】前記基軸挿入孔に挿入された前記基軸を正確な挿着位置及び挿着方向で保持できる基軸ホルダ及び、基軸ホルダを備えた電動ドライバを提供することを目的とする。【解決手段】ビットホルダ１を、回転治具５の六角径断面である基軸６が軸方向先端側Ｌｆから挿入される六角挿入穴１１を有するホルダーボディ１０と、ホルダーボディ１０に対して外嵌するとともに、軸方向Ｌに対して回転可能なスリーブ５０と、基軸６の外平面６ａに対して、少なくとも三方向から当接して調心するアライメントボール２２と、軸方向Ｌを中心とする周方向のスリーブ５０の回転に伴って、アライメントボール２２を同期して六角挿入穴１１の径中心方向に向かって案内する案内溝５４とを備え、六角挿入穴１１の基端に、少なくとも使用状態において、挿入された基軸６の基端テーパ部８を調心状態で支持する頂部サポート３０を設けた。【選択図】図７
2019107740.tif 000002
【特許請求の範囲】
【請求項１】
回転治具の六角径断面である基軸が先端側から挿入される基軸挿入孔を有するホルダ本体と、
前記ホルダ本体に対して外嵌するとともに、軸方向に対して回転可能な外嵌部材と、
前記基軸の外面に対して、少なくとも三方向から当接して調心する当接調心手段と、
前記軸方向を中心とする周方向の前記外嵌部材の回転に伴って、前記当接調心手段を同期して前記基軸挿入孔の径中心方向に向かって案内する案内手段とが備えられ、
前記基軸挿入孔の基端に、少なくとも使用状態において、挿入された前記基軸の基端部を調心状態で支持する基端部調心支持手段が設けられた
基軸ホルダ。
【請求項２】
前記案内手段は、
前記軸方向を中心とする周方向の前記外嵌部材の回転に伴って、前記基軸挿入孔の径中心方向への前記当接調心手段の同期した案内に加え、前記軸方向の基端側に案内する構成である
請求項１に記載の基軸ホルダ。
【請求項３】
前記案内手段は、前記外嵌部材の内面に形成された案内溝で構成され、
前記当接調心手段は、前記案内溝に回転自在に嵌合する球体で構成された
請求項１または２に記載の基軸ホルダ。
【請求項４】
前記球体が、弾性変形可能、且つ高硬度を有する樹脂製である
請求項３に記載の基軸ホルダ。
【請求項５】
前記基軸の前記基端部が基端側の中心に向かって突出する先細り状の突出形状であり、
基端部調心支持手段が、基端側の中心に向かって突出する先細り状の突出形状である前記基端部の頂部を、前記軸方向を中心として支持する頂部調心支持手段で構成された
請求項１乃至４のうちいずれかに記載の基軸ホルダ。
【請求項６】
前記頂部調心支持手段に、前記基端部を前記先端側に付勢する支持付勢手段が備えられた
請求項５のうちいずれかに記載の基軸ホルダ。
【請求項７】
前記頂部調心支持手段を、
前記支持付勢手段を備え、前記頂部を付勢調心支持する前記付勢調心支持手段と、
前記付勢調心支持手段で前記頂部が付勢調心支持された前記基端部の頂部付近に当接して調心支持する当接調心支持手段とで構成した
請求項６のうちいずれかに記載の基軸ホルダ。
【請求項８】
前記外嵌部材を前記軸方向の基端側に向かって付勢する外嵌部材付勢手段が備えられた
請求項１乃至７のうちいずれかに記載の基軸ホルダ。
【請求項９】
前記基軸の外周面に形成された周方向の係止溝に対して、少なくとも三方向から係止する係止手段と、
該係止手段を径中心方向に向かって押圧する押圧手段とが備えられた
請求項１乃至８のうちいずれかに記載の基軸ホルダ。
【請求項１０】
前記係止手段は、球体で構成され、
前記押圧手段が、前記外嵌部材の前記軸方向の基端側の回転に応じて前記係止手段を径中心方向に向かって押圧する構成である
請求項９に記載の基軸ホルダ。
【請求項１１】
駆動装置と、該駆動装置の回転力を軸心上に伝達する回転伝達手段とが備えられるとともに、
請求項１乃至１０のうちいずれかひとつに記載の基軸ホルダが前記回転伝達手段によって回転可能に備えられた
電動工具。
【発明の詳細な説明】
【技術分野】
【０００１】
この発明は、例えば、ドライバビットやドリルビット等の回転治具の基軸を挿入して保持する基軸ホルダ及び、基軸ホルダを備えた電動ドライバなどの電動工具に関する。
【背景技術】
【０００２】
従来より、電動ドライバ等の先端に配置する基軸ホルダとして、保持した回転治具の基軸が不用意に抜け出さない基軸ホルダが提案されている（特許文献１参照）。  
この基軸ホルダは、回転治具の基軸を着脱自在に挿着可能な基軸挿入孔及び基軸の外面に形成した係止溝に係止する鋼球を移動可能に配置する貫通孔を有するホルダ本体と、貫通孔に配置する鋼球と、ホルダ本体に対してスライド自在に被嵌した筒状の外嵌部材と、該外嵌部材をホルダ本体の基端側に向けて付勢するバネで構成されている。
【０００３】
この基軸ホルダの基軸挿入孔に基軸を挿入すると、外嵌部材は鋼球を基軸挿入孔の内周面から出没させて係止溝と係止して、前記基軸挿入孔に挿入された前記基軸の不用意な抜け出しを防止することができる。
【０００４】
しかしながら、このような基軸を挿入できる基軸挿入孔は、基軸よりわずかに大きく形成しているため、挿着状態や使用の際において、基軸の挿着位置や挿着方向が回転中心からわずかにズレるおそれがあった。特に、ドリルビットでマークポイント（下穴）を形成する際において基軸の挿着位置が回転中心からズレるおそれがあった。
【０００５】
このように、基軸の挿着位置や挿着方向が回転中心からわずかにズレると、回転する回転治具自体も回転中心からずれ、精度よく回転力をネジや被削孔部材等に作用させることができなかった。
【先行技術文献】
【特許文献】
【０００６】
【特許文献１】特開２００６−１９８７５５号公報
【発明の概要】
【発明が解決しようとする課題】
【０００７】
そこでこの発明は、前記基軸挿入孔に挿入された前記基軸を正確な挿着位置及び挿着方向で保持できる基軸ホルダ及び、基軸ホルダを備えた電動ドライバを提供することを目的とする。
【課題を解決するための手段】
【０００８】
この発明は、回転治具の六角径断面である基軸が先端側から挿入される基軸挿入孔を有するホルダ本体と、前記ホルダ本体に対して外嵌するとともに、軸方向に対して回転可能な外嵌部材と、前記基軸の外面に対して、少なくとも三方向から当接して調心する当接調心手段と、前記軸方向を中心とする周方向の前記外嵌部材の移動に伴って、前記当接調心手段を同期して前記基軸挿入孔の径中心方向に向かって案内する案内手段とが備えられ、前記基軸挿入孔の基端に、少なくとも使用状態において、挿入された前記基軸の基端部を調心状態で支持する基端部調心支持手段が設けられた基軸ホルダであることを特徴とする。
【０００９】
上記回転治具とは、回転するドリルビットや、プラスやマイナスのドライバビットなどとすることができ、上記回転治具の基軸は工具シャンクともいう。  
上記当接調心手段は、径中心方向に移動して基軸の外面に当接する手段、あるいは径中心方向に延びるなどの変形によって基軸の外面に当接する手段とすることができる。
【００１０】
この発明により、前記基軸挿入孔に挿入された前記基軸を正確な挿着位置及び挿着方向で保持することができる。  
詳述すると、ホルダ本体の前記基軸挿入孔に挿入された前記基軸の基端部は、少なくとも使用状態において、基端部調心支持手段によって調心状態で支持される。また、前記外嵌部材の周方向の移動に伴う前記案内手段によって前記当接調心手段は、同期して径中心方向に向かって案内される。前記案内手段によって同期して径中心方向に向かって案内された前記当接調心手段は、少なくとも三方向から前記基軸の外面に当接する。
【００１１】
したがって、少なくとも使用状態において、基端部調心支持手段によって調心状態で基端部が支持されるとともに、前記基軸の外面に対して少なくとも三方向から前記当接調心手段が当接する基軸を基軸挿入孔において精度よく調心して保持する、つまり前記基軸挿入孔に挿入された前記基軸を正確な挿着位置及び挿着方向で保持することができる。
【００１２】
なお、少なくとも使用状態で調心支持するとは、回転する回転治具を作用させた使用状態のみならず、使用状態に加えて回転治具を回転させた状態においても調心支持することや、使用状態に加えて回転させない挿着状態（通常状態）においても調心支持することを含むものとする。
【００１３】
この発明の態様として、前記案内手段は、前記軸方向を中心とする周方向の前記外嵌部材の移動に伴って、前記基軸挿入孔の径中心方向への前記当接調心手段の同期した案内に加え、前記軸方向の基端側に案内する構成であってもよい。
【００１４】
この発明により、前記基軸に対して、前記軸方向の基端側に向かう方向の力を作用させることができる。  
したがって、例えば、軸方向の基端側に、軸方向の移動によって噛合するようなラチェットギアを設け、前記当接調心手段を同期させて前記軸方向の基端側に案内することで、前記ラチェットギアと噛合させて周方向の回転を規制するなど、前記外嵌部材の周方向の移動を前記軸方向の作用に変換することができる。
【００１５】
またこの発明の態様として、前記案内手段は、前記外嵌部材の内面に形成された案内溝で構成され、前記当接調心手段は、前記案内溝に回転自在に嵌合する球体で構成されてもよい。  
この発明により、簡易な構造で、球体で構成された前記当接調心手段を同期して径中心方向に向かって案内し、前記基軸の外面に対して少なくとも三方向から前記当接調心手段を当接させ、前記基軸を基軸挿入孔において確実に精度よく調心して保持することができる。
【００１６】
またこの発明の態様として、前記球体が、弾性変形可能、且つ高硬度を有する樹脂製であってもよい。  
この発明により、適度な弾性及び強度を有する球体の前記当接調心手段を当接させ、前記基軸を基軸挿入孔において確実に精度よく調心して保持することができる。
【００１７】
上述の弾性変形可能、且つ高硬度を有する樹脂製は、シンジオタクチック・ポリスチレン（SPS）、ポリアミド（PA）、ポリアセタール（POM）、ポリブチレンテレフタレート（PBT）あるいはポリエチレンテレフタレート（PET）などの結晶性エンプラや、ポリカーボネート（PC）や変性ポリフェニレンエーテル（mPPE）などの非晶性エンプラを含むエンジニアリング・プラスチック（エンプラ）や、ポリフェニレンサルファイド（PPS）、フッ素樹脂、ポリエーテルエーテルケトン（PEEK）、液晶ポリマー（LCP）、あるいはポリエーテルニトリル（PEN）などの結晶性スーパーエンプラや、ポリサルホン（PSF）、ポリエーテルサルホン（PES）、ポリアリレート（PAR）、ポリアミドイミド（PAI）、ポリエーテルイミド（PEI）あるいは熱可塑性ポリイミド（PI）などの非晶性スーパーエンプラなどを含むスーパーエンジニアリング・プラスチック（スーパーエンプラ）などを含むものとする。
【００１８】
またこの発明の態様として、前記基軸の前記基端部が基端側の中心に向かって突出する先細り状の突出形状であり、基端部調心支持手段が、基端側の中心に向かって突出する先細り状の突出形状である前記基端部の頂部を、前記軸方向を中心として支持する頂部調心支持手段で構成されてもよい。
【００１９】
この発明により、基端側の中心に向かって突出する先細り状の突出形状である前記基端部の頂部を、前記頂部調心支持手段により前記軸方向を中心として支持するため、少なくとも使用状態において、前記基軸挿入孔に挿入された前記基軸を正確な挿着位置及び挿着方向で保持することができる。
【００２０】
またこの発明の態様として、前記頂部調心支持手段に、前記基端部を前記先端側に付勢する支持付勢手段が備えられてもよい。  
この発明により、例えば、振動が作用するような使用状態であっても、前記支持付勢手段によって前記先端側に付勢された前記頂部調心支持手段によって前記基端部を安定して支持することができる。
【００２１】
またこの発明の態様として、前記頂部調心支持手段を、前記支持付勢手段を備え、前記頂部を付勢調心支持する前記付勢調心支持手段と、前記付勢調心支持手段で前記頂部が付勢調心支持された前記基端部の頂部付近に当接して調心支持する当接調心支持手段とで構成してもよい。
【００２２】
この発明により、まず、基軸の装着状態において前記支持付勢手段によって前記頂部を先端側に付勢する前記付勢調心支持手段で付勢調心支持することができ、この状態で、振動が生じるような使用によって押し付けられることで、前記当接調心支持手段に前記基端部の頂部付近が当接して調心支持することができる。そのため、例えば、基軸の芯振れ等によって前記基軸がわずかにずれて装着された場合であっても、前記付勢調心支持手段で付勢調心支持することでわずかなズレを吸収して修正し、ズレが修正された先端部の頂部付近に前記当接調心支持手段が当接して調心支持するため、高精度で調心支持することができる。
【００２３】
またこの発明の態様として、前記外嵌部材を前記軸方向の基端側に向かって付勢する外嵌部材付勢手段が備えられてもよい。  
この発明により、前記基軸挿入孔に挿入された前記基軸を正確な挿着位置及び挿着方向で保持する保持状態を維持することができる。
【００２４】
詳述すると、周方向の移動に伴って前記案内手段により前記当接調心手段を同期して径中心方向に向かって案内する前記外嵌部材を前記外嵌部材付勢手段によって前記軸方向の基端側に向かって付勢する、つまり、前記当接調心手段を同期して径中心方向に向かって案内する前記外嵌部材には外嵌部材付勢手段によって基端側に向かう付勢力が作用しているため、不用意に前記外嵌部材が周方向に回転し、前記当接調心手段による前記基軸の外面に対する当接状態が解消されることを防止することができる。したがって、振動が作用するような使用状態においても、前記基軸挿入孔に挿入された前記基軸を正確な挿着位置及び挿着方向で保持することができる。
【００２５】
またこの発明の態様として、前記基軸の外周面に形成された周方向の係止溝に対して、少なくとも三方向から係止する係止手段と、該係止手段を径中心方向に向かって押圧する押圧手段とが備えられてもよい。  
この発明により、前記当接調心手段が外面に当接することで、前記基軸挿入孔において正確な挿着位置及び挿着方向で保持された前記基軸が不用意に抜け出ることを防止することができる。
【００２６】
またこの発明の態様として、前記係止手段は、球体で構成され、前記押圧手段が、前記外嵌部材の前記軸方向の基端側の移動に応じて前記係止手段を径中心方向に向かって押圧する構成であってもよい。  
この発明により、簡易な構造により、適度な弾性を有する状態で球体で構成された前記係止手段を径中心方向に向かって押圧して、前記係止溝に係止させて、前記基軸を抜け止めすることができる
【００２７】
またこの発明は、駆動装置と、該駆動装置の回転力を軸心上に伝達する回転伝達手段とが備えられるとともに、上述の基軸ホルダが前記回転伝達手段によって回転可能に備えられた電動工具であることを特徴とする。  
この発明により、基軸が調心され、正確な挿着位置及び挿着方向で保持した回転治具を回転させることができる。
【発明の効果】
【００２８】
この発明によれば、前記基軸挿入孔に挿入された前記基軸を正確な挿着位置及び挿着方向で保持できる基軸ホルダ及び、基軸ホルダを備えた電動ドライバを提供することができる。
【図面の簡単な説明】
【００２９】
【図１】基軸ホルダを備えた電動工具の正面図。
【図２】基軸ホルダの斜視図。
【図３】基軸ホルダの各構成要素の正面や背面、及び側面や断面を併記した分解説明図。
【図４】基軸ホルダの各構成要素の分解斜視図による説明図。
【図５】スリーブの片断面斜視図。
【図６】基軸ホルダの縦断面図による説明図。
【図７】基軸ホルダの縦断面図による説明図。
【図８】アライメントホールの位置におけるビットホルダの断面図による説明図。
【発明を実施するための形態】
【００３０】
この発明の一実施の形態を以下図面に基づいて詳述する。  
図１はビットホルダ１を備えた電動工具Ｋの正面図を示し、図２はビットホルダ１の斜視図を示している。なお、図１ではビットホルダ１を概略形状で図示しており、図２では六角挿入穴１１に挿入する基軸６の軸方向基端側Ｌｂの一部を図示している。図２はグリップリング２４の図示を省略している。
【００３１】
また、図３はビットホルダ１の各構成要素の正面や背面、及び側面や断面を併記した分解説明図を示している。  
詳しくは、ホルダーボディ１０は縦断面図と、抜け止めホール１２の位置の断面図及びアライメントホール１３の位置の断面図及び正面図とを示し、抜止めボール２１及びアライメントボール２２は三方向に配置した状態の側面図及び正面図を示し、頂部サポート３０を構成するピンケース３１、調心スプリング３２、サポートピン３３、及びスプリングワッシャ３４は縦断面図及び正面図を示し、弾性リング２３、グリップリング２４、スリーブ５０及びストップリング２７は縦断面図及び正面図を示し、規制リング４０及びラチェットリング６０は縦断面図及び背面図を示している。なお、図３において、抜止めボール２１、アライメントボール２２、頂部サポート３０を構成するピンケース３１乃至スプリングワッシャ３４については他の構成要素に比べて拡大して図示している。また、図３において、ラチェットボール２５の図示を省略している。
【００３２】
図４はビットホルダ１の各構成要素の分解斜視図による説明図を示している。詳しくは、図４（ａ）はビットホルダ１の各構成要素の正面側からの分解斜視図を示し、図４（ｂ）はビットホルダ１の各構成要素の背面側からの分解斜視図を示している。
【００３３】
図５はスリーブ５０の背面側上方から見た片断面斜視図を示している。  
図６，７はビットホルダ１に回転治具５を装着する状態、つまり基軸６をビットホルダ１に挿入して保持する状態についての説明図を示している。詳しくは、図６（ａ）はビットホルダ１に基軸６を挿入する前の縦断面図を示し、図６（ｂ）は基軸６を挿入している状態の縦断面図を示し、図７（ａ）は回転治具５の挿入時の付勢調心支持状態の縦断面図を示し、図７（ｂ）は回転治具５の挿入完了状態の縦断面図を示している。
【００３４】
さらに、図６（ｃ）は図６（ａ）におけるａ部拡大図を示し、図６（ｄ）は図６（ａ）におけるｂ部拡大図を示し、図７（ｃ）は図７（ａ）におけるｃ部拡大図を示し、図７（ｄ）は図７（ｂ）におけるｄ部拡大図を示している。
【００３５】
図８は、アライメントホール１３の位置におけるビットホルダ１の断面図による説明図を示している。  
詳しくは、図８（ａ）はアライメントボール２２が径外側に配置された状態のアライメントホール１３の位置におけるビットホルダ１の断面図を示し、図８（ｂ）はアライメントボール２２が径内側に案内された状態のアライメントホール１３の位置におけるビットホルダ１の断面図を示し、図８（ｃ）は図８（ｂ）におけるｄ部拡大図を示している。
【００３６】
本発明のビットホルダ１は、電動工具Ｋの先端に装備されるものである。例えば、この電動工具Ｋは、利用者が使用時に握るハンドル部２ａを備えたハウジング２、及び該ハウジング２の内部に配置された正逆転回転可能なモータＭと、図示省略する回転伝達機構を備えている。
【００３７】
そして、ビットホルダ１はハウジング２の前方に配置され、回転治具５の基軸６を保持するものである。なお、ハンドル部２ａに配置したトリガ２ｂを操作することで、ハウジング内部に設置された、正逆転回転可能なモータＭの回転駆動力が回転伝達機構によって伝達され、ビットホルダ１が回転する構成である。
【００３８】
ビットホルダ１について説明する前に、ビットホルダ１で保持する回転治具５について説明する。図２、図６及び図７に示すように、ドライバビットやドリルビットなどの回転治具５の軸方向基端側Ｌｂの基軸６は六角形状であり、縦断面において円弧状の溝である係止溝７が周方向に形成され、基軸６の基端テーパ部８は後端側に向かって先細り状の略円錐状に突出されている。
【００３９】
なお、基軸６における平面状の外面を外平面６ａとし、基端テーパ部８の先端を頂部８ａとしている。また、係止溝７は、後述する抜止めボール２１の径よりわずかに大きな径の断面円弧状で形成されている。
【００４０】
上述の電動工具Ｋに装備されるビットホルダ１は、図３及び図４に示すように、主要部品であるホルダーボディ１０、抜止めボール２１、アライメントボール２２、頂部サポート３０、規制リング４０、弾性リング２３、グリップリング２４、スリーブ５０、ラチェットボール２５、コイルスプリング２６、ラチェットリング６０及びストップリング２７を組み付けて構成している。なお、図３において、これらビットホルダ１を構成する要素の中心を通る軸方向Ｌにおけるホルダーボディ１０側を軸方向基端側Ｌｂ、ストップリング２７側を軸方向先端側Ｌｆとしている。
【００４１】
ホルダーボディ１０は、径外側に向かって二方向に延びるフランジ１５を軸方向基端側Ｌｂに有する略円筒状の大径後胴部１０ａと、大径後胴部１０ａの軸方向先端側Ｌｆに配置され、大径後胴部１０ａより小径である小径前胴部１０ｂとで構成され、軸方向先端側Ｌｆから長さの半分程度まで六角挿入穴１１が内部に形成されている。
【００４２】
小径前胴部１０ｂには、軸方向先端側Ｌｆからアライメントホール１３と抜け止めホール１２とが形成されている。さらに、小径前胴部１０ｂの軸方向先端側Ｌｆの外面には、後述するストップリング２７が係合する係合溝１６が設けられている。
【００４３】
六角挿入穴１１は、軸方向先端側Ｌｆが開放された正面視六角形断面穴であり、後方に向かって凹状となる円柱状の空間である。また、六角挿入穴１１の軸方向基端側Ｌｂには、縮径された調心空間１４が形成されている。なお、六角挿入穴１１は、基軸６が挿入されるため、わずかに基軸６より大きな六角形断面で形成されている。
【００４４】
調心空間１４は、六角挿入穴１１の基端部から軸方向基端側Ｌｂに縮径する傾斜面１５ａを有する縮径部１５と、縮径部１５によって六角挿入穴１１より縮径された小径部１６と、小径部１６の基端部において形成され、後述する頂部サポート３０を装着する装着凹部１７とで構成されている。
【００４５】
抜け止めホール１２は、後述する抜止めボール２１を径方向に移動可能に収容するとともに、ホルダーボディ１０の径外側と六角挿入穴１１とを連通する径方向の貫通孔であり、周方向において対向する三か所に設けられている。
【００４６】
なお、抜け止めホール１２は、収容される抜止めボール２１よりわずかに大きな径で形成している。また、抜け止めホール１２の径内側には、収容された抜止めボール２１が六角挿入穴１１に落下しないようにストッパが設けられている。また、抜け止めホール１２は、収容する抜止めボール２１の直径より短い溝深さで形成されており、収容した抜止めボール２１の径内側が六角挿入穴１１に露出することとなる。
【００４７】
アライメントホール１３は、後述するアライメントボール２２を径方向に移動可能に嵌め込むとともに、ホルダーボディ１０の径外側と六角挿入穴１１とを連通する径方向の貫通孔であり、周方向において等間隔で三ケ所に設けられている。
【００４８】
なお、アライメントホール１３は、収容されるアライメントボール２２よりわずかに大きな径で形成している。また、周方向において等間隔に設けられる三ケ所は、六角形断面の六角挿入穴１１における外面である平面部分に対応する箇所に形成されている。
【００４９】
さらに、アライメントホール１３の径内側には、収容されたアライメントボール２２が六角挿入穴１１に落下しないようにストッパが設けられている。また、アライメントホール１３は、収容するアライメントボール２２の直径より短い溝深さで形成されており、収容したアライメントボール２２の径外側が露出することとなる。
【００５０】
また、抜止めボール２１が収容される抜け止めホール１２と、アライメントボール２２が収容されるアライメントホール１３は、それぞれ周方向に等間隔で三か所形成されているが、抜け止めホール１２とアライメントホール１３とは周方向に重ならない位置に形成されている。具体的には、各抜け止めホール１２と各アライメントホール１３とは、正面視において周方向に６０度ずつずれて配置されている。
【００５１】
ホルダーボディ１０の抜け止めホール１２に収容される抜止めボール２１は、基軸６に形成された係止溝７に係止する鋼球であり、抜け止めホール１２の数に併せて３個設けている。なお、抜止めボール２１は、図６（ｄ）に示すように、係止溝７の円弧径に比べて小さな径で形成している。
【００５２】
ホルダーボディ１０のアライメントホール１３に収容されるアライメントボール２２は、基軸６の外平面６ａに当接する球体であり、アライメントホール１３の数に併せて３個設けている。  
アライメントボール２２は、弾性変形可能、且つ高硬度を有するエンプラ製であるが、要求性能に応じてスーパーエンプラ製であってもよい。なお、抜止めボール２１もエンプラやスーパーエンプラで構成してもよい。さらに、アライメントボール２２は鋼球で構成してもよい。
【００５３】
ホルダーボディ１０の六角挿入穴１１の基端に形成された装着凹部１７に装着される頂部サポート３０は、ピンケース３１、調心スプリング３２、サポートピン３３、及びスプリングワッシャ３４で構成されている。
【００５４】
ピンケース３１は、装着凹部１７の内径と略同径の外径を有する中空の有底円筒状であり、軸方向先端側Ｌｆが開放され、軸方向基端側Ｌｂに底部を有している。また、軸方向先端側Ｌｆの周縁部には外径側に拡大され、装着状態において装着凹部１７から小径部１６に突出するフランジ部３１ａを有し、中空の内部に内部空間３１ｂを有している。
【００５５】
調心スプリング３２は、ピンケース３１の内部空間３１ｂに後述するサポートピン３３の小径軸部３３ｂに外嵌されて収容され、サポートピン３３を軸方向先端側Ｌｆに付勢するコイルスプリングである。
【００５６】
サポートピン３３は、軸方向先端側Ｌｆのサポート部３３ａと、軸方向基端側Ｌｂに配置され、サポート部３３ａより小径な小径軸部３３ｂとが一体構成されており、サポート部３３ａの軸方向先端側Ｌｆには、軸方向基端側Ｌｂに向かう略円錐状のサポート凹部３３ｃを設けている。
【００５７】
小径軸部３３ｂは、内部空間３１ｂを形成するピンケース３１の内面に対してわずかに小径な外径を有している。サポート凹部３３ｃは、基軸６の基端テーパ部８の頂部８ａに対して頂角がわずかに広い略円錐形状で形成している。
【００５８】
スプリングワッシャ３４は、所定の厚みを有し、内径側が外径側に比べて軸方向先端側Ｌｆに突出する正面視リング状の板バネを構成している。なお、リング状を構成する外形は、六角挿入穴１１の小径部１６の内径程度に形成され、内径はサポートピン３３のサポート凹部３３ｃの軸方向先端側Ｌｆと略同径で形成されている。
【００５９】
このように各要素が構成された頂部サポート３０は、小径軸部３３ｂに調心スプリング３２を嵌めつけたサポートピン３３を内部空間３１ｂに挿入したピンケース３１を装着凹部１７に装着するとともに、正面側からスプリングワッシャ３４を小径部１６に挿着することで組み付けられるとともに、六角挿入穴１１に組み込むことができる。そして、スプリングワッシャ３４によって、調心スプリング３２により軸方向先端側Ｌｆへ付勢されたサポートピン３３の軸方向先端側Ｌｆの位置を規制している。
【００６０】
規制リング４０は、スリーブ５０の後端側収容空間５１ｃに配置され、ビットホルダ１の組み付け状態において、ホルダーボディ１０の大径後胴部１０ａの軸方向先端側Ｌｆに外嵌するリング本体４１と、リング本体４１の軸方向先端側Ｌｆであって、スリーブ５０の中間収容空間５１ｂに配置され、リング本体４１より小径な縮径部４２と、縮径部４２の先端において径内側に突出するリングフランジ４３とで構成されている。
【００６１】
弾性リング２３は、ホルダーボディ１０の小径前胴部１０ｂの外径と略同径の内径及び、規制リング４０の縮径部４２の外径と略同径の外径を有する、片断面が円形の正面視リング状のＯリングであり、適宜の弾性を有するゴムで構成されている。
【００６２】
グリップリング２４は、後述するスリーブ５０の外周に形成された嵌込溝５２に嵌合される、片断面が円形の正面視リング状のＯリングであり、適宜の弾性を有するゴムで構成されている。  
ラチェットボール２５は、スリーブ５０に設けられた挿入孔５３に収容可能な鋼球であり、挿入孔５３の数にあわせて三個備えられている。
【００６３】
スリーブ５０は、軸方向先端側Ｌｆからホルダーボディ１０に外嵌する円筒状であり、後述するラチェットリング６０及びコイルスプリング２６が軸方向先端側Ｌｆから収容される前胴部５０ａと、アライメントボール２２及び弾性リング２３が配置される中胴部５０ｂ、規制リング４０が収容される後胴部５０ｃとが軸方向Ｌに沿って軸方向先端側Ｌｆから後端側に向かってこの順で配置され、一体化された円筒状であり、軸方向Ｌに貫通する貫通空間５１を内部に形成している。
【００６４】
そして、貫通空間５１において、前胴部５０ａに対応する箇所を先端側収容空間５１ａとし、中胴部５０ｂに対応する箇所を中間収容空間５１ｂとし、後胴部５０ｃに対応する箇所を後端側収容空間５１ｃとしている。
【００６５】
前胴部５０ａは、後述するラチェットリング６０の外径よりわずかに大きな内径を有する円筒状であり、前胴部５０ａの軸方向Ｌの中央付近の外周面に、グリップリング２４が嵌め込まれる嵌込溝５２が周方向に形成されている。また、嵌込溝５２の溝底部と先端側収容空間５１ａとを連通し、後述するラチェットボール２５が挿入される挿入孔５３が周方向に三か所、所定間隔を隔てて設けられている。なお、挿入孔５３は、収容するラチェットボール２５の直径より浅い溝深さで形成されている。
【００６６】
中胴部５０ｂは、前胴部５０ａや後胴部５０ｃの内径より小径で、上述の規制リング４０の縮径部４２が後方から挿入される円筒状であり、中胴部５０ｂの内面側の先端から、軸方向先端側Ｌｆ且つ内面側に向かって先端側収容空間５１ａに突出する正面リング状の案内突出部５５が設けられている。なお、案内突出部５５の内面には、アライメントボール２２を案内する案内溝５４が形成されている。
【００６７】
案内溝５４は、アライメントボール２２が径合可能な、案内突出部５５の内面に形成された断面略１／４円弧状の溝であり、周方向に少しの間隔を隔てて等間隔で三か所設けられている。本実施形態においては、ひとつの案内溝５４が約１１５度程度の周方向長さで形成されている。
【００６８】
なお、ビットホルダ１に対して正面視時計回りに回転させて締め付けるスリーブ５０における中胴部５０ｂの内面に形成された案内溝５４は、背面視反時計回りの後方より前方側に向かって径方向に徐々に深くなり、軸方向先端側Ｌｆに向かって徐々に浅くなる溝形状で形成している。
【００６９】
換言すると、案内溝５４は、径方向の溝深さは、背面視反時計回りの後方より前方側に向かって徐々に深くなり、軸方向Ｌの溝深さは、背面視反時計回りの後方より前方側に向かって徐々に浅くなるように、周方向に沿って溝断面形状が変化するように形成されている。
【００７０】
また、中胴部５０ｂの内面と案内突出部５５の後端側の面との隅部分は、弾性リング２３が収容されるように断面円弧状に形成されている。  
後胴部５０ｃは、規制リング４０のリング本体４１の外径と略同径の内面を有する円筒状である。
【００７１】
コイルスプリング２６は、スリーブ５０の先端側収容空間５１ａにおいて、前胴部５０ａの内面と案内突出部５５の径外側との間に配置され、軸方向Ｌに付勢するコイルスプリングである。  
ラチェットリング６０は、スリーブ５０の先端側収容空間５１ａに配置される略リング体であり、正面視円形の正面リング部６１と、正面リング部６１の外周縁から軸方向Ｌの後方に延びる外周部６２と、正面リング部６１の内周縁から軸方向Ｌの後方に延びる内周部６３と、内周部６３の後端から径内側に突出する内側リング部６４が一体構成されている。
【００７２】
なお、内周部６３は、外周部６２の軸方向Ｌの長さに対して半分程度の長さで形成されている。また、内側リング部６４の内周円は、小径前胴部１０ｂの外径と略同径で形成されている。  
外周部６２の外周面には、挿入孔５３に収容されたラチェットボール２５が径合するラチェットギア６５が周方向に形成されている。  
ストップリング２７は、ホルダーボディ１０の先端に設けられた係合溝１６に係合する正面視Ｃ型のＣリングである。
【００７３】
各要素が上述のような構成であるビットホルダ１は、以下で説明するように組み付けられる。  
まず、上述したように、ピンケース３１の内部空間３１ｂに、調心スプリング３２が外嵌するサポートピン３３の小径軸部３３ｂを軸方向先端側Ｌｆから収容するとともに、六角挿入穴１１の装着凹部１７に挿入する。そして、軸方向先端側Ｌｆから小径部１６にスプリングワッシャ３４を圧入することで頂部サポート３０は組み付けられるとともに、ホルダーボディ１０に頂部サポート３０が組み付けられる。
【００７４】
また、中胴部５０ｂの内面と案内突出部５５の後端側の面との隅部分に配置されるように、弾性リング２３を貫通空間５１の後方から挿入するとともに、さらにその後方から規制リング４０を挿入する。この状態では、規制リング４０のリング本体４１がスリーブ５０の後端側収容空間５１ｃに圧入され、スリーブ５０と規制リング４０とは略一体化することとなる。
【００７５】
また、中胴部５０ｂの内面と案内突出部５５の後端側の面との隅部分と規制リング４０のリング本体４１の軸方向先端側Ｌｆ及び縮径部４２の外面とで囲まれた空間に弾性リング２３が収容され、スリーブ５０及び規制リング４０に対して、弾性リング２３の軸方向Ｌの移動が規制された状態となる。
【００７６】
このように、弾性リング２３及び規制リング４０が組み付けられたスリーブ５０を、抜け止めホール１２に抜止めボール２１を収容し、アライメントホール１３をアライメントボール２２に収容したホルダーボディ１０の軸方向先端側Ｌｆから外嵌するように装着する。
【００７７】
さらに、正面リング部６１の背面、外周部６２の内面及び内周部６３の外面との間にコイルスプリング２６の軸方向先端側Ｌｆを収容したラチェットリング６０をスリーブ５０の先端側収容空間５１ａに軸方向先端側Ｌｆから収容する。このとき、内側リング部６４の内周がホルダーボディ１０の大径後胴部１０ａと略同径で形成しているため、ラチェットリング６０は大径後胴部１０ａに対して圧入され、ホルダーボディ１０とラチェットリング６０とは回転が固定された状態となる。
【００７８】
この状態で、スリーブ５０の挿入孔５３にラチェットボール２５を収容するとともに、その外径側から嵌込溝５２にグリップリング２４を装着する。また、大径後胴部１０ａに装着されたラチェットリング６０の軸方向先端側Ｌｆに露出した係合溝１６にストップリング２７を装着することで、ビットホルダ１の組み付けは完了する。
【００７９】
なお、この組み付け状態では、係合溝１６に嵌合したストップリング２７によってホルダーボディ１０に対して軸方向先端側Ｌｆの位置が規制されたラチェットリング６０を反力とするコイルスプリング２６によって、スリーブ５０及び、スリーブ５０を略一体化された規制リング４０は、軸方向基端側Ｌｂに付勢された状態となる。
【００８０】
そのため、抜け止めホール１２に収容された抜止めボール２１が径外側に移動しようとすると、コイルスプリング２６によって軸方向Ｌの後方に付勢されたスリーブ５０及び規制リング４０によって位置規制された弾性リング２３が径外側に移動する抜止めボール２１に当接し、抜止めボール２１の径外側の移動を規制することとなる。
【００８１】
また、溝深さが直径より浅く形成された挿入孔５３に収容されたラチェットボール２５は、図６（ｃ）に示すように、径外側が、嵌込溝５２に嵌合したグリップリング２４によって径内側に押さえつけられているため、挿入孔５３の内側に配置されたラチェットリング６０の外周部６２の外面に形成されたラチェットギア６５に対して、グリップリング２４で付勢された状態で係合することとなる。
【００８２】
また、このようなビットホルダ１の組み付け状態では、アライメントホール１３に収容されたアライメントボール２２の径外側は、スリーブ５０の案内溝５４に係止している。より詳しくは、周方向に沿って所定の長さで形成され、径方向位置及び軸方向Ｌの位置が周方向に変化する案内溝５４において、背面視の反時計回り後方位置に係止している（図８（ａ）参照）。
【００８３】
なお、上述したように、案内溝５４における背面視の反時計回り後方位置は、前方位置に比べて径方向の深さが深く、軸方向Ｌの深さが浅いため、当該後方位置に係止したアライメントボール２２は径方向外側位置に配置され、アライメントホール１３によって軸方向Ｌの位置が規制されたアライメントボール２２を介して、スリーブ５０は軸方向Ｌの後方位置に配置されることとなる。
【００８４】
続いて、このように組み付けられたビットホルダ１に対して基軸６を挿着する挿着動作について図６乃至図８とともに説明する。  
まず、図６（ａ）に示すように、六角挿入穴１１に対して、軸方向先端側Ｌｆから基軸６を挿入する。
【００８５】
このとき、六角挿入穴１１に対して径内側に突出している抜止めボール２１を基軸６の基端テーパ部８のテーパー面で径外側に押しのけながら、基軸６を挿入することとなるが、抜止めボール２１の外側は、スリーブ５０及び規制リング４０に組み付けられた弾性リング２３によって径外側の移動が規制されているため、弾性リング２３が組み付けられたスリーブ５０及び規制リング４０を、コイルスプリング２６の付勢力に抗して、軸方向先端側Ｌｆに移動させることで、図６（ｂ）に示すように、弾性リング２３も軸方向先端側Ｌｆに移動し、つまり、弾性リング２３が当接することによる抜止めボール２１の径外側の移動の規制を解放し、抜止めボール２１を径外側に移動させて六角挿入穴１１に基軸６を挿入することができる。
【００８６】
そして、六角挿入穴１１に対して基軸６が所定の位置まで挿入されると、つまり、基軸６の係止溝７が抜け止めホール１２に対応する位置まで挿入し、コイルスプリング２６の付勢力によってスリーブ５０及び規制リング４０の軸方向先端側Ｌｆへの移動を解消すると、抜け止めホール１２に収容された抜止めボール２１はグリップリング２４によって、径外側の移動が規制され、抜止めボール２１が係止溝７に係合し、六角挿入穴１１に対する基軸６の不用意な抜出しを規制することができる（図７（ｂ）参照）。
【００８７】
このとき、基端テーパ部８の頂部８ａは、図７（ｃ）に示すように、頂部サポート３０を構成するサポートピン３３のサポート凹部３３ｃに挿入され、軸方向基端側Ｌｂに押し付けられるものの、サポートピン３３は調心スプリング３２によって軸方向先端側Ｌｆに付勢されているため、基軸６の頂部８ａは、調心スプリング３２によって軸方向先端側Ｌｆに向かう付勢力が作用した状態で付勢調心支持されることとなる。なお、この状態では、図７（ｃ）に示すように、基軸６の基端テーパ部８は縮径部１５を形成する傾斜面１５ａとは当接されていない。
【００８８】
また、このように、基軸６の不用意な抜け出しが防止された状態において、スリーブ５０を正面視時計回り、すなわち背面視反時計回りに所定角度分回転させると、図８（ｂ）に示すように、周方向位置がアライメントホール１３によって規制されたアライメントボール２２に対して、スリーブ５０の案内溝５４が背面視反時計回りに相対移動し、アライメントボール２２が案内溝５４の背面視反時計回り前方位置に係止することとなる。
【００８９】
なお、このようなスリーブ５０の正面視時計回りの回転において、挿入孔５３に収容されたラチェットボール２５は、嵌込溝５２に嵌め込まれたグリップリング２４によって径内側に押圧されており、ラチェットリング６０のラチェットギア６５と係合しているため、ラチェット音を生じながら回転することとなる。
【００９０】
なお、上述したように、案内溝５４における背面視の反時計回り前方位置は、後方位置に比べて径方向の深さが浅いため、図８（ｃ）に示すように、当該前方位置に係止したアライメントボール２２は径方向内側位置に押し出され、基軸６の外平面６ａに対して、径方向内側向きの圧力が作用する様に当接することとなる。また、案内溝５４における背面視の反時計回り前方位置は、後方位置に比べて軸方向Ｌの深さが深いため、アライメントホール１３によって軸方向Ｌの位置が規制されたアライメントボール２２を介して、スリーブ５０は軸方向Ｌの前方位置に配置されることとなる。
【００９１】
このように、案内溝５４によって径内側に向かって押し出されたアライメントボール２２は、基軸６の外平面６ａに対して周方向における三方向から径内側に押圧するため、基軸６は、三方向のアライメントボール２２によって調心されることとなる。
【００９２】
上述のように、基端テーパ部８の頂部８ａが頂部サポート３０で付勢調心支持されるとともに、基軸６の外平面６ａに対して周方向における三方向のアライメントボール２２によって径内側に押圧されて調心された基軸６が、使用によって負荷が作用し、軸方向基端側Ｌｂ押し込まれると、図７（ｂ），（ｄ）に示すように、頂部８ａが頂部サポート３０によって付勢調心された基端テーパ部８が縮径部１５の傾斜面１５ａに当接し、軸方向基端側Ｌｂ及び中心に向かって傾斜する傾斜面１５ａによって高精度で当接調心されることとなる。
【００９３】
このように、回転治具５の六角径断面である基軸６が軸方向先端側Ｌｆから挿入される六角挿入穴１１を有するホルダーボディ１０と、ホルダーボディ１０に対して外嵌するとともに、軸方向Ｌに対して回転可能なスリーブ５０と、基軸６の外平面６ａに対して、少なくとも三方向から当接して調心するアライメントボール２２と、軸方向Ｌを中心とする周方向のスリーブ５０の回転に伴って、アライメントボール２２を同期して六角挿入穴１１の径中心方向に向かって案内する案内溝５４とが備えられ、六角挿入穴１１の基端に、少なくとも使用状態において、挿入された基軸６の基端テーパ部８を調心状態で支持する頂部サポート３０が設けられたビットホルダ１は、六角挿入穴１１に挿入された基軸６を正確な挿着位置及び挿着方向で保持することができる。
【００９４】
詳述すると、ホルダ本体の六角挿入穴１１に挿入された基軸６の基端テーパ部８は、少なくとも使用状態において、頂部サポート３０によって調心状態で支持される。また、スリーブ５０の周方向の回転に伴う案内手段によってアライメントボール２２は、同期して径中心方向に向かって案内される。案内手段によって同期して径中心方向に向かって案内されたアライメントボール２２は、少なくとも三方向から基軸６の外平面６ａに当接する。
【００９５】
したがって、少なくとも使用状態において、頂部サポート３０によって調心状態で基端テーパ部８が支持されるとともに、基軸６の外平面６ａに対して少なくとも三方向からアライメントボール２２が当接する基軸６を六角挿入穴１１において精度よく調心して保持する、つまり六角挿入穴１１に挿入された基軸６を正確な挿着位置及び挿着方向で保持することができる。
【００９６】
なお、少なくとも使用状態で調心支持するため、回転する回転治具５を作用させた使用状態のみならず、使用状態に加えて回転治具５を回転させた状態においても、使用状態に加えて回転させない挿着状態（通常状態）においても調心支持することができる。
【００９７】
また、案内溝５４は、軸方向Ｌを中心とする周方向のスリーブ５０の回転に伴って、六角挿入穴１１の径中心方向へのアライメントボール２２の同期した案内に加え、軸方向基端側Ｌｂに案内する構成であるため、基軸６に対して、軸方向基端側Ｌｂに向かう方向の力を作用させることができる。
【００９８】
したがって、例えば、軸方向基端側Ｌｂに、軸方向Ｌの移動によって噛合するようなラチェットギアを設けてもよく、この場合、アライメントボール２２を同期させて軸方向基端側Ｌｂに案内することで、ラチェットギアと噛合させて周方向の回転を規制するなど、外嵌部材の周方向の回転を軸方向Ｌの作用に変換することができる。
【００９９】
また、案内溝５４がスリーブ５０の案内突出部５５の内面に形成され、アライメントボール２２は、案内溝５４に回転自在に嵌合する球体で構成されているため、簡易な構造で、球体で構成されたアライメントボール２２を同期して径中心方向に向かって案内し、基軸６の外平面６ａに対して少なくとも三方向からアライメントボール２２を当接させ、基軸６を六角挿入穴１１において確実に精度よく調心して保持することができる。
【０１００】
また、アライメントボール２２が、弾性変形可能、且つ高硬度を有する樹脂製であるため、適度な弾性及び強度を有する球体のアライメントボール２２を当接させ、基軸６を六角挿入穴１１において確実に精度よく調心して保持することができる。
【０１０１】
また、基軸６の基端テーパ部８が軸方向基端側Ｌｂの中心に向かって突出する先細り状の突出形状であり、頂部サポート３０が、軸方向基端側Ｌｂの中心に向かって突出する先細り状の突出形状である基端テーパ部８の頂部８ａを、軸方向Ｌを中心として支持するよう構成されているため、軸方向基端側Ｌｂの中心に向かって突出する先細り状の突出形状である基端テーパ部８の頂部８ａを、頂部サポート３０により軸方向Ｌを中心として支持し、少なくとも使用状態において、六角挿入穴１１に挿入された基軸６を正確な挿着位置及び挿着方向で保持することができる。
【０１０２】
また、頂部サポート３０に、サポートピン３３を介して基端テーパ部８を軸方向先端側Ｌｆに付勢する調心スプリング３２が備えられているため、例えば、振動が作用するような使用状態であっても、調心スプリング３２によって軸方向先端側Ｌｆに付勢された頂部サポート３０によって基端テーパ部８を安定して支持することができる。
【０１０３】
また、頂部８ａを付勢調心支持する頂部サポート３０と、頂部サポート３０で頂部８ａが付勢調心支持された基端テーパ部８の頂部８ａ付近に当接して調心支持する傾斜面１５ａとを備えているため、まず、基軸６の装着状態において調心スプリング３２によって頂部８ａを先端側に付勢する頂部サポート３０で付勢調心支持することができる。
【０１０４】
この状態で、振動が生じるような使用によって基軸６が軸方向基端側Ｌｂに押し付けられることで、傾斜面１５ａに基端テーパ部８の頂部８ａ付近が当接して調心支持することができる。そのため、例えば、基軸６の芯振れ等によって基軸６がわずかにずれて装着された場合であっても、頂部サポート３０で付勢調心支持することでわずかなズレを吸収して修正し、ズレが修正された先端部の頂部８ａ付近に傾斜面１５ａが当接して調心支持するため、高精度で調心支持することができる。
【０１０５】
また、スリーブ５０を軸方向基端側Ｌｂに向かって付勢するコイルスプリング２６が備えられているため、六角挿入穴１１に挿入された基軸６を正確な挿着位置及び挿着方向で保持する保持状態を維持することができる。
【０１０６】
詳述すると、周方向の回転に伴って案内手段によりアライメントボール２２を同期して径中心方向に向かって案内するスリーブ５０を調心スプリング３２によって軸方向基端側Ｌｂに向かって付勢する、つまり、アライメントボール２２を同期して径中心方向に向かって案内するスリーブ５０にはコイルスプリング２６によって軸方向基端側Ｌｂに向かう付勢力が作用しているため、不用意に外嵌部材が周方向に回転し、アライメントボール２２による基軸６の外平面６ａに対する当接状態が解消されることを防止することができる。したがって、振動が作用するような使用状態においても、六角挿入穴１１に挿入された基軸６を正確な挿着位置及び挿着方向で保持することができる。
【０１０７】
また、基軸６の外周面に形成された周方向の係止溝７に対して、少なくとも三方向から係止する抜止めボール２１と、抜止めボール２１を径中心方向に向かって押圧する弾性リング２３とが備えられているため、アライメントボール２２が外面に当接することで、六角挿入穴１１において正確な挿着位置及び挿着方向で保持された基軸６が不用意に抜け出ることを防止することができる。
【０１０８】
また、抜止めボール２１は、球体で構成され、弾性リング２３が、スリーブ５０の軸方向基端側Ｌｂの回転に応じて抜止めボール２１を径中心方向に向かって押圧する構成であるため、簡易な構造により、適度な弾性を有する状態で球体で構成された抜止めボール２１を径中心方向に向かって押圧して、係止溝７に係止させて、基軸６を抜け止めすることができる
【０１０９】
また、モータＭと、モータＭの回転力を軸心上に伝達する回転伝達手段とが備えられるとともに、上述のビットホルダ１が回転伝達手段によって回転可能に備えられた電動工具Ｋは、基軸６が調心され、正確な挿着位置及び挿着方向で保持した回転治具５を回転させることができる。
【０１１０】
なお、六角挿入穴１１に調心された状態で装着された回転治具５をビットホルダ１から取り外す場合は、スリーブ５０を正面視反時計まわりに回転させることで、三方向からのアライメントボール２２による調心は解消されるが、抜止めボール２１が係止溝７に係合しているため、スリーブ５０を一旦軸方向先端側Ｌｆに移動させ、つまり、グリップリング２４による抜止めボール２１の径外方向の移動規制を解消してから回転治具５を軸方向先端側Ｌｆに移動させることでビットホルダ１から回転治具５を取り外すことができる。
【０１１１】
この発明の構成と、上述の実施形態との対応において、この発明の回転治具は回転治具５に対応し、
以下同様に、
基軸は基軸６に対応し、
外面は外平面６ａに対応し、
頂部は頂部８ａに対応し、
基軸挿入孔は六角挿入穴１１に対応し、
ホルダ本体はホルダーボディ１０に対応し、
外嵌部材はスリーブ５０に対応し、
当接調心手段はアライメントボール２２に対応し、
軸方向は軸方向Ｌに対応し、
案内手段は案内溝５４に対応し、
基端部は基端テーパ部８に対応し、
基端部調心支持手段は頂部サポート３０に対応し、
基軸ホルダはビットホルダ１に対応し、
案内溝は案内溝５４に対応し、
頂部調心支持手段は頂部サポート３０および傾斜面１５ａに対応し、
支持付勢手段は調心スプリング３２に対応し、
付勢調心支持手段は頂部サポート３０に対応し、
当接調心支持手段は傾斜面１５ａに対応し、
外嵌部材付勢手段はコイルスプリング２６に対応し、
係止溝は係止溝７に対応し、
係止手段は抜止めボール２１に対応し、
押圧手段は弾性リング２３に対応し、
駆動装置はモータＭに対応し、
電動工具は電動工具Ｋに対応するも、この発明は、上述の実施形態の構成のみに限定されるものではなく、多くの実施の形態を得ることができる。
【０１１２】
例えば、上述のビットホルダ１は、電動工具Ｋのみならず、振動ドリルや電動ドライバ等の回転電動工具に装着してもよい。  
また、スリーブ５０と規制リング４０とを一体構成してもよい。
【０１１３】
上記回転治具５とは、回転するドリルビットや、プラスやマイナスのドライバビットなどとすることができ、上記回転治具５の基軸６は工具シャンクともいう。  
径中心方向に移動して基軸６の外平面６ａに当接して調心するアライメントボール２２の代わりに、複数の部品を組み付けて構成してもよい。さらには、径中心方向に延びるなどの変形によって基軸６の外平面６ａに当接する手段としてもよい。
【０１１４】
また、上述のビットホルダ１では、３つのアライメントボール２２を周方向に等間隔に配置し、六角形断面の基軸６の外平面６ａに当接させて調心したが、六角形断面における角部に当接させて調心してもよいし、６個のアライメントボール２２で調心するように構成してもよい。
【０１１５】
さらには、アライメントボール２２を備えず、３個以上の抜止めボール２１を周方向に等間隔で配置し、係止する係止溝７に対して調心するように構成してもよい。  
なお、六角挿入穴１１の基端に頂部サポート３０を装着する装着凹部１７の代わり、基端テーパ部８が当接するような、後方に向かって凸な円錐状の調心凹部を設けてもよい。
【符号の説明】
【０１１６】
１…ビットホルダ
５…回転治具
６…基軸
６ａ…外平面
７…係止溝
８…基端テーパ部
８ａ…頂部
１０…ホルダーボディ
１１…六角挿入孔
１５ａ…傾斜面
２１…抜止めボール
２２…アライメントボール
２３…弾性リング
２６…コイルスプリング
３０…頂部サポート
３２…調心スプリング
５０…スリーブ
５４…案内溝
Ｋ…電動工具
Ｌ…軸方向
Ｍ…モータ
【図１】
2019107740.tif 000003
【図２】
2019107740.tif 000004
【図３】
2019107740.tif 000005
【図４】
2019107740.tif 000006
【図５】
2019107740.tif 000007
【図６】
2019107740.tif 000008
【図７】
2019107740.tif 000009
【図８】
2019107740.tif 000010